(57)【要約】【課題】電子ズーム機能を使用する際の利便性を向上させることが可能となる撮像装置、及びその画質表示方法を提供することを目的とする。【解決手段】電子ズームが使用されている状態でのスルー画像上に、現在設定されている記録画像サイズ１０２と共に、電子ズーム倍率に応じた画像サイズであって、撮像素子の全画素領域（有効画素領域）内で実際に記録する画像データとして使用される画素領域のサイズである実質有効画素サイズ１０２を表示させる。使用目的に応じた画像データが得られるか否かを撮影操作に先立ち使用者に知らせることができる。【選択図】      図６
2006287276.tif 000002
【特許請求の範囲】
【請求項１】
電子ズーム機能を備えた撮像装置において、
被写体画像を撮像する撮像手段と、
この撮像手段により撮像された被写体画像の画像データを、電子ズーム機能によるズーム倍率、及び予め設定されている記録画像サイズによって決まる拡大率で電気的に拡大する電子ズーム手段と、
この電子ズーム手段の拡大対象となる画像データのサイズである実質有効画素サイズを示す解像度情報を表示する表示手段と
を備えたことを特徴とする撮像装置。
【請求項２】
前記表示手段により表示される解像度情報は前記実質有効画素サイズそれ自体であることを特徴とする請求項１記載の撮像装置。
【請求項３】
前記表示手段により表示される解像度情報は、前記実質有効画素サイズに適した画像データの用途例を示す用途情報であることを特徴とする請求項１記載の撮像装置。
【請求項４】
前記表示手段は、前記解像度情報を前記記録画像サイズと共に表示することを特徴とする請求項１，２又は３記載の撮像装置。
【請求項５】
前記実質有効画素サイズが、前記記録画像サイズよりも小さい場合に、前記記録画像サイズを前記実質有効画素サイズに変更するサイズ変更手段を備えたことを特徴とする請求項１乃至４のいずれか１項に記載の撮像装置。
【請求項６】
電子ズーム機能を備えた撮像装置が有するコンピュータに、
被写体画像を撮像する撮像手段により撮像された被写体画像の画像データを、電子ズーム機能によるズーム倍率、及び予め設定されている記録画像サイズによって決まる拡大率で電気的に拡大するための処理と、
拡大対象となる画像データのサイズである実質有効画素サイズを示す解像度情報を表示手段に表示させる処理と
を実行させるためのプログラム。
【請求項７】
電子ズーム機能を備えた撮像装置における画質表示方法であって、
撮像手段により撮像された被写体画像の画像データを、電子ズーム機能によるズーム倍率、及び予め設定されている記録画像サイズによって決まる拡大率で電気的に拡大する工程と、
拡大対象となる画像データのサイズである実質有効画素サイズを示す解像度情報を表示手段に表示させる工程と
を含むことを特徴とする画質表示方法。
【発明の詳細な説明】
【技術分野】
【０００１】
本発明は、電子ズーム機能を備えた撮像装置、及びその画質表示方法に関するものである。
【背景技術】
【０００２】
従来、ＣＣＤ等の撮像素子により被写体画像を撮像して記録するデジタルカメラにおいては、ズーム機能として、ズームレンズにより光学的に焦点距離を変える光学ズーム機能と、撮像した画像データを電子的に拡大して記憶するいわゆる「電子ズーム機能」とを備えたものが一般的である。
【０００３】
光学ズームは、光学的に影像サイズを拡大または縮小するを行うため、画像にレンズ特有の歪みが出るものの画像データそのものは劣化しない。それに対して電子ズームでは、撮像された画像データの一部をズーム倍率に応じた大きさで切り出し、それを補間処理（画素補間）により所定のサイズの画像データに拡大して記録する。そのため、画像データサイズは電子ズームを使用していない時と変わらないものの、撮像素子の全画素領域（有効画素領域）内で実際に記録する画像データとして使用される画素領域のサイズ（以下、実質有効画素サイズという。）が記録画像サイズよりも小さくなると、実質的には画像データに明確な劣化が生じることが避けられない。
【０００４】
これに関し、例えば下記特許文献１には、電子ズーム機能の使用を必要に応じて設定／解除できるようにしたり、あるいはその画像の劣化を告知するための報知を行ったりする電子カメラが記載されている。
【特許文献１】特開２００２−３０５６７８号公報
【発明の開示】
【発明が解決しようとする課題】
【０００５】
しかしながら、上記のように電子ズーム機能を設定／解除できるようにしたり、あるいはその画像の劣化を告知するための報知を行ったりしたとしても、電子ズームを使用した場合における前述したような実質的な画像データの劣化を避けることができず、また、モニタ上に記録画像のサイズを表示している場合であっても、そこに表示されるサイズは電子ズームを使用する時と使用しない時とに関係なく同一である。
【０００６】
そのためユーザにおいては、必要とする解像度（画像サイズ）で、かつ劣化のない画像データが実際に得られるのか否かを知ることができない。つまり横２５６０×縦１９２０の画素数で撮像を行うように設定されているとき、電子ズームを使用した場合には、モニタ上には「２５６０×１９２０」が表示され、かつ記録される画像サイズも２５６０×１９２０であるが、前述した実質有効画素サイズがどの程度であるのかを知ることができない。例えばユーザが印刷を目的として撮影を行う際に、必要とする画像サイズが２Ｌサイズ相当の１６００×１２００であったとき、電子ズームを使用することにより実際に２Ｌサイズでのプリント時に画像に劣化が生じるの否かを知ることができなかった。
【０００７】
係ることから電子ズームの使用時における使い勝手が未だ満足が行くものとは言えないという問題があった。
【０００８】
本発明は、かかる従来の課題に鑑みてなされたものであり、電子ズーム機能を使用する際の利便性を向上させることが可能となる撮像装置、及びその画質表示方法を提供することを目的とする。
【課題を解決するための手段】
【０００９】
前記課題を解決するため請求項１の発明にあっては、電子ズーム機能を備えた撮像装置において、被写体画像を撮像する撮像手段と、この撮像手段により撮像された被写体画像の画像データを、電子ズーム機能によるズーム倍率、及び予め設定されている記録画像サイズによって決まる拡大率で電気的に拡大する電子ズーム手段と、この電子ズーム手段の拡大対象となる画像データのサイズである実質有効画素サイズを示す解像度情報を表示する表示手段とを備えたものとした。
【００１０】
かかる構成においては、電子ズーム機能の使用中には、現在のズーム倍率による撮像動作によって取得される画像データの実質有効画素サイズが、表示手段により使用者に知らされる。
【００１１】
また、請求項２の発明にあっては、前記表示手段により表示される解像度情報は前記実質有効画素サイズそれ自体であるものとした。
【００１２】
また、請求項３の発明にあっては、前記表示手段により表示される解像度情報は、前記実質有効画素サイズに適した画像データの用途例を示す用途情報であるものとした。
【００１３】
また、請求項４の発明にあっては、前記表示手段は、前記解像度情報を前記記録画像サイズと共に表示するものとした。
【００１４】
また、請求項５の発明にあっては、前記実質有効画素サイズが、前記記録画像サイズよりも小さい場合に、前記記録画像サイズを前記実質有効画素サイズに変更するサイズ変更手段を備えたものとした。
【００１５】
かかる構成においては、電子ズーム機能を使用した撮像動作によって取得される記録画像用の画像データのサイズの上限が、電子ズーム機能によるズーム倍率に応じたサイズに規制される。
【００１６】
また、請求項６の発明にあっては、電子ズーム機能を備えた撮像装置が有するコンピュータに、被写体画像を撮像する撮像手段により撮像された被写体画像の画像データを、電子ズーム機能によるズーム倍率、及び予め設定されている記録画像サイズによって決まる拡大率で電気的に拡大するための処理と、拡大対象となる画像データのサイズである実質有効画素サイズを示す解像度情報を表示手段に表示させる処理とを実行させるためのプログラムとした。
【００１７】
また、請求項７の発明にあっては、電子ズーム機能を備えた撮像装置における画質表示方法であって、撮像手段により撮像された被写体画像の画像データを、電子ズーム機能によるズーム倍率、及び予め設定されている記録画像サイズによって決まる拡大率で電気的に拡大する工程と、拡大対象となる画像データのサイズである実質有効画素サイズを示す解像度情報を表示手段に表示させる工程とを含む方法とした。
【００１８】
かかる方法によれば、電子ズーム機能の使用中には、現在のズーム倍率による撮像動作によって取得される画像データの実質有効画素サイズが、表示手段により使用者に知らされる。
【発明の効果】
【００１９】
以上のように本発明の撮像装置及び画質表示方法によれば、電子ズーム機能の使用中には、現在のズーム倍率による撮像動作によって取得される画像データの実質有効画素サイズが、表示手段により使用者に知らされるようにした。よって、電子ズーム機能の使用に際して、使用目的に応じた画像データが得られるか否かを撮影操作に先立ち使用者に知らせることができ、電子ズーム機能を使用する際の利便性を向上させることが可能となる。
【００２０】
特に、請求項５の発明によれば、電子ズーム機能を使用した撮像動作によって取得される記録画像用の画像データのサイズの上限が、電子ズーム機能によるズーム倍率に応じたサイズに規制されるようにした。よって、電子ズーム機能の使用に伴う記録画像用の画像データの劣化を確実に防止することができる。
【発明を実施するための最良の形態】
【００２１】
（実施形態１）
図１は本実施の形態におけるデジタルカメラ１の外観を示す図であって、同図（ａ）は正面上方側、同図（ｂ）は背面上方側から観た斜視図である。このデジタルカメラ１は静止画像及び動画像の記録・再生機能、及び光学ズーム、電子ズームからなるズーム機能を備えたものであり以下の構成を有している。なお、ズーム倍率は光学ズーム及び電子ズームが共に３倍（併用で９倍）である。
【００２２】
図１（ａ）に示したように、略矩形の薄型のカメラ本体２の前面には、撮影レンズ３、光学ファインダ４、ストロボ発光部５が配置され、その上面の（ユーザにとって）右端側には電源キー６及びシャッターキー７が配置されている。前記撮影レンズ３はズームレンズ及びフォーカスレンズを含む沈胴式であり、電源オフ状態、及び再生モードが設定された状態においてはカメラ本体２内に格納される。また、シャッターキー７は半押し位置と全押し位置との２段階に操作可能である。
【００２３】
また、図１（ｂ）に示したように、デジタルカメラ１の背面には前記光学ファインダ４、記録モード設定スイッチ８、再生モード設定スイッチ９、ズーム操作キー１０、メニューキー１１、４方向キー１２、その内側のセットキー１３、ディスプレイキー１４の各スイッチ類と、液晶モニタ１５が配設されている。液晶モニタ１５は、例えばバックライト付きのカラー液晶表示パネルで構成され、記録モードでの撮影待機時等においては被写体画像（スルー画像）、及び後述する種々の撮影情報を表示する一方、必要に応じてメニュー画面や、記録画像サイズの設定用等の種々の設定画面を表示する本発明の表示手段である。
【００２４】
ここで、このデジタルカメラ１において静止画撮影に際して設定可能な画像サイズ（解像度）は以下の５種類である。なお、かっこ内は各画像サイズ（横×縦）が適する一般的な用途である。
・２５６０×１９２０ ≒ ４．９メガピクセル（Ａ３印刷）
・２０４８×１５３６ ≒ ３．１メガピクセル（Ａ４印刷）
・１６００×１２００ ≒ １．９メガピクセル（２Ｌサイズ印刷）
・１２８０×  ９６０ ≒ １．２メガピクセル（Ｌサイズ印刷）
・  ６４０×  ４８０ ≒ ０．３メガピクセル（ウェブサイト、電子メール）
【００２５】
また、図示しないがデジタルカメラ１の底面には、画像記録用の記録媒体であるメモリカードを着脱するためのメモリカードスロット等が設けられている。
【００２６】
図２は、デジタルカメラ１の電気的構成を示すブロック図である。前述した撮影レンズ３を構成するレンズ光学系２１はレンズモータ２２によって駆動され、ズーム倍率や合焦位置を調整される。なお、図では省略したがレンズモータ（Ｍ）２２は実際にはズームレンズ用とフォーカスレンズ用とがそれぞれ設けられている。レンズ光学系２１の光軸後方には絞り２３が配置されており、絞り２３の開放度はアクチュエータ（Ａ）２４によって調整される。さらにその光軸後方には撮像手段であるＣＣＤ２５が配置されている。ＣＣＤ２５は、撮影モードにおいてはタイミング発生器（ＴＧ）２６により生成される駆動タイミングで垂直ドライバ２７によって走査駆動され、その露光面に結像した光像に対応する光電変換出力を一定周期で１画面分出力する。
【００２７】
ＣＣＤ２５の出力すなわち撮像信号は、サンプルホールド回路（Ｓ／Ｈ）２８でサンプルホールドされ、Ａ／Ｄ変換器２９でＲＧＢの原色成分毎のデジタルデータ（撮像信号）に変換される。変換後の撮像信号は、カラープロセス回路３０において画素補間処理及びγ補正処理を含むカラープロセス処理を施された後、デジタル値の輝度信号Ｙ及び色差信号Ｃｂ，Ｃｒとして、ＤＭＡ（Ｄｉｒｅｃｔ  Ｍｅｍｏｒｙ  Ａｃｃｅｓｓ）コントローラ３１に出力される。
【００２８】
ＤＭＡコントローラ３１は、カラープロセス回路３０の出力する輝度信号Ｙ及び色差信号Ｃｂ，Ｃｒを、同カラープロセス回路３０からの複合同期信号、メモリ書込みイネーブル信号、及びクロック信号を用いて内部のバッファにいったん書込み、ＤＲＡＭインタフェース（Ｉ／Ｆ）３２を介してバッファメモリとして使用されるＤＲＡＭ３３にＤＭＡ転送する。ＤＲＡＭ３３に転送された１画面分の輝度及び色差信号は、制御部３４によりＤＲＡＭインタフェース３２を介してＤＲＡＭ３３より読み出されるとともに、ＶＲＡＭコントローラ３５を介してＶＲＡＭ３６に書き込まれる。
【００２９】
制御部３４は、ＣＰＵと、ＣＰＵによる各部の制御に必要な動作プログラムが格納されているＲＯＭ、及びワークメモリとして使用されるＲＡＭ等により構成され、デジタルカメラ１全体を制御する。上記ＲＯＭには、撮影モード時において、上記ＣＰＵにＡＦ制御、ＡＥ制御、ＡＷＢ制御を行わせるとともに、撮影モードにおいては後述する処理を行わせることにより、ＣＰＵを本発明の電子ズーム手段として機能させるためのプログラムも格納されている。
【００３０】
デジタルビデオエンコーダ３７は、上記輝度及び色差信号をＶＲＡＭコントローラ３５を介してＶＲＡＭ３６より定期的に読み出し、これらのデータを元にビデオ信号を発生して表示部３８に出力する。表示部３８は、前記液晶モニタ１５及びその駆動回路等から構成され、撮影モード時にはデジタルビデオエンコーダ３７からのビデオ信号に基づいた表示動作によって、その時点で撮像された画像、すなわちスルー画像をリアルタイムに表示する。そして係るスルー画像がＣＣＤ２５のスルーレート（例えば３０枚／秒）で更新されることにより液晶モニタ１５が電子ファインダとして機能する。
【００３１】
キー入力部３９は、上述したシャッターキー７等の各スイッチ類から構成され、それらのキー操作に伴う信号は制御部３９へ送出される。そして、表示部３８に上記スルー画像が表示されている状態では、ユーザーによりシャッターキー７が全押し操作されると、それに応じてキー入力部３９からトリガ信号が出力される。制御部３４は、このトリガ信号に応じてその時点でＣＣＤ２５から取り込んでいる１画面分の輝度及び色差信号のＤＲＡＭ３３へのＤＭＡ転送の終了後、直ちにＣＣＤ２５からＤＲＡＭ３３への信号の流れを一時停止し、記録保存の状態に遷移する。
【００３２】
この記録保存の状態において制御部３４は、ＤＲＡＭ３３に書き込まれている１フレーム分の輝度及び色差信号をＤＲＡＭインタフェース３２を介してＹ，Ｃｂ，Ｃｒのコンポーネント毎に縦８画素×横８画素の基本ブロックと呼称される単位で読み出し、それをＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路４０に書き込む。ＪＰＥＧ回路４０においては、ＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によるデータ圧縮が行われる。
【００３３】
圧縮された符号データは、制御部３４によって１画像のデータファイルとして読み出され、デジタルカメラ１に着脱自在に装着されたメモリカード４１、またはこのデジタルカメラ１に固定的に内蔵された内蔵メモリ４２のいずれか一方に書き込まれる。そして、かかる書き込み動作が終了すると、制御部３４によりＣＣＤ２５からＤＲＡＭ３３への信号の流れが再開される。
【００３４】
また、制御部３４にはストロボ駆動部４３が接続されている。ストロボ駆動部４３は図示しないストロボ用の大容量コンデンサ、及びその充電回路、昇圧回路等からなり、前述した静止画像撮影時に制御部３４からの制御に基づいて前記ストロボ発光部５を閃光駆動する。
【００３５】
一方、再生モード時には、制御部３４がメモリカード４１または内蔵メモリ４２に記録されている画像データを、ユーザーによるキー操作等に応じて選択的に読み出し、ＪＰＥＧ回路４０が撮影モード時にデータ圧縮した手順と全く逆の手順で圧縮されている画像データを伸長する。伸長された画像データはＤＲＡＭインタフェース３２を介してＤＲＡＭ３３に保持され、その保持内容がＶＲＡＭコントローラ３５を介してＶＲＡＭ３６に記憶され、そこから定期的に読み出された画像データに基づいてビデオ信号が生成されることによって、上記表示部３８に記録画像が再生出力される。
【００３６】
次に、以上の構成からなるデジタルカメラ１において、撮影モードが設定されているときの静止画撮影時の動作について説明する。まず、静止画撮影時における基本動作について先に説明する。すなわちデジタルカメラ１は、上記シャッターキー７が半押しされた時点でＡＦ動作による合焦状態をロックし、同時にＡＥ制御による露出制御状態及びＡＷＢ制御によるホワイトバランス状態とをロックし、その後、シャッターキー７が全押しされた時点（撮影操作があった時点）で、先にロックした合焦状態、露出制御状態、ホワイトバランス状態による撮影を実行する。なお、ＡＦ制御は、所定のフォーカスエリアを評価エリアとしたコントラスト検出方式による制御である。
【００３７】
図３は、制御部３４が静止画撮影時に実行する、上述した基本動作以外の本発明に係る撮影処理の内容を示したフローチャートである。
【００３８】
制御部３４は撮影処理の開始に伴い、直ちにＣＣＤ２５による所定のスルーレートによる撮像、及び撮像した被写体の表示部３８によるスルー画像表示を開始する（ステップＳＡ１）。次に、ズーム操作キー１０によるズーム操作がなければ（ステップＳＡ２でＮＯ）、直ちに後述する撮影情報表示処理を行った後（ステップＳＡ６）、シャッターキー７の全押しによる撮影指示がなければ（ステップＳＡ７でＮＯ）、そのままステップＳＡ２へ戻る。
【００３９】
また、ズーム操作があったときには（ステップＳＡ２でＹＥＳ）、さらに当該操作に伴う変更後のズーム倍率が電子ズーム領域であるか否かを確認し、それが電子ズーム領域でなければ（ステップＳＡ３でＮＯ）、ズームレンズをテレ側又はワイド側へ駆動した後（ステップＳＡ４）、撮影情報表示処理を行う（ステップＳＡ６）。また、変更後のズーム倍率が電子ズーム領域であれば（ステップＳＡ３でＹＥＳ）、スルーレートでの撮像時におけるＣＣＤ２５からの撮像データの読み出し領域を、電子ズーム倍率に応じて設定（既に、電子ズームを実施しているときには変更）した後（ステップＳＡ５）、撮影情報表示処理を行う（ステップＳＡ６）。
【００４０】
図４は、前述した撮影情報表示処理の内容を示すフローチャートである。まず、動作開始当初のようなズームが使用中でないときには（ステップＳＢ１でＮＯ）、ズーム倍率を示すためのズームゲージと実質有効画素サイズを非表示に設定した後（ステップＳＢ２）、直ちにメモリカード４１の空き容量と、その時点で設定されている記録画像サイズ、つまり先に説明した５種類のうちのいずれかのサイズとに基づき撮影可能残枚数を計算し（ステップＳＢ８）、各種の撮影情報をスルー画像に重畳して液晶モニタ１５に表示させる（ステップＳＢ９）、図３の処理に戻る。
【００４１】
図５は、ズームが使用中でないときステップＳＢ９によって液晶モニタ１５に表示される各種の撮影情報を示した図である。すなわち上記撮影情報表示処理においては、図示したように画面内の所定の位置に、設定されている記録画像サイズ１０１と、ステップＳＢ８で算出した記録可能残枚数１０２、撮影モードの種別（ここでは静止画撮影モード）１０３、ＡＦエリア１０４、バッテリー残量１０５、シャッター速度１０６、絞り値１０７、日時１０８をそれぞれ表示させる。なお、図５は記録画像サイズ１０１が「２５６０×１９２０」である場合を示したものである。
【００４２】
一方、撮影情報表示処理に際して、ズームが使用中であったときには（ステップＳＢ１でＹＥＳ）、ズーム倍率を示すためのズームゲージの表示を設定した後（ステップＳＢ３）、ズーム倍率が電子ズーム領域であるか否かを確認する（ステップＳＢ４）。そして、電子ズーム領域でなければ（ステップＳＢ４でＮＯ）、撮影可能残枚数を計算し（ステップＳＢ８）、各種の撮影情報をスルー画像に重畳して液晶モニタ１５に表示させる（ステップＳＢ９）。
【００４３】
図６（ａ）は、上記場合に液晶モニタ１５に表示される各種の撮影情報を示した図５に対応する図である。係る場合においては、図５に示した撮影情報に加えて、ズーム倍率を示すズームゲージ１０９をスルー画像に重畳して表示させる。なお、本実施の形態においてズームゲージ１０９は、図示したように左端をワイド端（Ｗ）、右端をテレ端（Ｔ）とするとともに光学ズーム領域と電子ズーム領域とを示すスケールバーと、その上辺に沿って移動する逆三角形のカーソルとからなり、カーソルの位置でズーム倍率を示すものである。
【００４４】
また、ステップＳＢ４の判別結果がＹＥＳであって、そのときのズーム倍率が電子ズーム領域であったときには、さらに電子ズーム倍率に応じた実質有効画素サイズが、その時設定されている記録画像サイズ以上であるか否かを確認する（ステップＳＢ５）。そして、記録画像サイズ以上であれば（ステップＳＢ５でＹＥＳ）、実質有効画素サイズの表示方法を通常表示に設定し（ステップＳＢ６）、逆に記録画サイズよりも小さければ（ステップＳＢ５でＮＯ）、実質有効画素サイズの表示方法を点滅表示に設定する（ステップＳＢ７）。しかる後、前述したように撮影可能残枚数の計算、各種の撮影情報の表示を実施する（ステップＳＢ８，ＳＢ９）。
【００４５】
図６（ｂ）は、ズーム倍率が６倍（電子ズーム倍率が２倍）であって、実質有効画素サイズが記録画像サイズよりも小さかった場合、すなわち実質有効画素サイズが記録画像サイズ「２５６０×１９２０」の１／２である「１８１０×１３５７」であった場合において、液晶モニタ１５に表示される各種の撮影情報を示した図５に対応する図である。係る場合においては、前述した他の撮影情報に加え、実質有効画素サイズ１１０（「１８１０×１３５７」）を記録画像サイズ「２５６０×１９２０」の下に括弧書きで点滅表示させる。なお、図示しないが、記録画像サイズが「１６００×１２００」に設定されていた場合には、実質有効画素サイズ１１０として「１８１０×１３５７」を点滅させずに表示する。
【００４６】
そして、制御部３４は、上述した撮影情報表示処理が終了した後には、図３の処理に戻ってシャッターキー７の全押しによる撮影指示の有無を確認し、撮影指示がなければ（ステップＳＡ７でＮＯ）、そのままステップＳＡ２へ戻り前述した処理を繰り返す。
【００４７】
やがて、その間に撮影指示があったら（ステップＳＡ７でＹＥＳ）、ＣＣＤ２５の露光を行うとともに、その時点における電子ズーム倍率（電子ズームが使用されていないときには１倍）に応じた実質有効画素サイズの画像データの読み出す（ステップＳＡ８）。そして、実質有効画素サイズが記録画像サイズ以上であれば（ステップＳＡ９でＹＥＳ）、読み出した画像データの間引いて記録画像サイズへの縮小を行った後（ステップＳＡ１０）、縮小後の画像データをメモリカード４１に記録する（ステップＳＡ１２）。また、実質有効画素サイズが記録画像サイズよりも小さければ（ステップＳＡ９でＮＯ）、ステップＳＡ８で読み出した画像データを補間して記録画像サイズへの拡大を行った後（ステップＳＡ１１）、拡大後の画像データをメモリカード４１に記録する（ステップＳＡ１２）。なお、電子ズームが使用されていなかった場合にもステップＳＡ８で読み出した画像データを記録する。
【００４８】
以上のように本実施の形態においては、電子ズームが使用されているときには、記録画像サイズ１０１と共に実質有効画素サイズ１１０をスルー画像上に表示させるため、そのまま撮影を行った場合に所望の解像度（記録画像サイズ１０１）の画像や、所望の用途に適した解像度の画像が得られるかどうかをユーザーに確認させることができる。また、所望の解像度の画像を得ながら、つまり画像の劣化を生じさせない範囲で、どの程度までのズームアップを行うことができるのかをユーザーに教えることもできる。よって、電子ズーム機能を使用する際の利便性を向上させることができる。
【００４９】
なお、本実施の形態においては、ステップＳＡ６の撮影情報表示処理で、電子ズーム倍率により変化する実質有効画素サイズ１１０を、設定されている記録画像サイズ１０１と共に表示させるようにしたが、以下のようにしてもよい。
【００５０】
すなわち制御部３４のＲＯＭに、前述したデジタルカメラ１において静止画撮影に際して設定可能な５種類の画像サイズ（解像度）と、各画像サイズ（横×縦）が適する一般的な用途（Ａ３印刷、Ａ４印刷等）との対応関係を示す対応情報を記憶させておく。そして、前述した撮影情報表示処理（図４）では、例えばステップＳＢ５の直後に、上記対応情報に基づき、その時点の実質有効画素サイズによって本来の解像度を得ることが可能な用途を判定し、ステップＳＢ６，ＳＢ７では、判定した用途の表示方法を設定するとともに、続くステップＳＢ９では、設定した設定方法にしたがって上記用途をスルー画像上に表示させるようにしてもよい。
【００５１】
すなわち図７は、その場合における図６（ｂ）に対応する図である。この例では実質有効画素サイズが「１８１０×１３５７」であるため、それにより本来の解像度を得ることができる一般的な用途を示す用途情報２０１として、２Ｌサイズの印刷を示す「２Ｌサイズ」の文字を記録画像サイズ１０１と共に表示させることとなる。
【００５２】
係る変形例によれば、現在のズーム倍率で、劣化を生じさせることなく、どの程度の用途に適した画像を記録することができるのかを直接的にユーザーに教えることがきるため、利便性をさらに向上させることができる。特に、記録画像サイズ１０１と、それに適した一般的な用途との関係を知らないユーザーに対しては、上記効果が大となる。
【００５３】
さらに、ここでは実質有効画素サイズ１１０、又は用途情報２０１を記録画像サイズ１０１と共にスルー画像上に表示させるものについて説明したが、記録画像サイズ１０１を表示させることなく、実質有効画素サイズ１１０、又は用途情報２０１をのみをスルー画像上に表示させるようにしても構わない。
【００５４】
（実施形態２）
次に、本発明の第２の実施の形態について説明する。本実施の形態は、図１及び図２に示した構成のデジタルカメラ１において、制御部３４のＲＯＭに、制御部３４（ＣＰＵ）を本発明の電子ズーム手段、サイズ変更手段として機能させるためのプログラムを格納しておき、電子ズームを使用した撮影時に実質有効画素サイズが記録画サイズよりも小さい場合には、記録画像サイズを自動的に実質有効画素サイズまで下げて、つまり画素補間による拡大処理を行うことなく、撮像した画像データを記録する撮影処理を行わせるものである。
【００５５】
図８は、本実施の形態において制御部３４が静止画撮影に際して実行する撮影処理内容を示したものである。図から明らかなように、ステップＳＣ１〜ステップＳＣ８までの処理は、第１の実施の形態で図３で説明したステップＳＡ１〜ステップＳＡ８の処理と同様であり、また、ステップＳＣ６の撮影情報表示処理についても図４に示した処理を実施する。そして、本実施の形態においても実質有効画素サイズが記録画サイズ以上であれば（ステップＳＣ９でＹＥＳ）、読み出した画像データの間引いて記録画サイズへの縮小を行った後（ステップＳＣ１０）、縮小後の画像データをメモリカード４１に記録する（ステップＳＣ１１）。ただし、本実施の形態においては、実質有効画素サイズが記録画サイズよりも小さい場合には（ステップＳＣ９でＮＯ）、ステップＳＣ８で読み出した画像データをそのままのサイズでメモリカード４１に記録する（ステップＳＣ１１）。
【００５６】
以上説明した第２の実施の形態によれば、実質有効画素サイズが記録画像サイズよりも小さい場合には、記録画像サイズが自動的に実質有効画素サイズに変更される。よって、電子ズーム機能の使用に伴う記録画像用の画像データの劣化を確実に防止することができる。また、例えば本来必要としている画像サイズが小さな画像であるにもかかわらず、予め選択されている記録画像サイズがそれよりも大きな場合においては、記録画像のサイズが無用に大きくなることがなく、カードメモリ４１の記憶容量が無駄に消費されることを確実に防止することができる。
【００５７】
また、ステップＳＣ６の撮影情報表示処理では、第１の実施の形態と同様、メモリカード４１の空き容量と、その時点で設定されている記録画像サイズ（２５６０×１９２０等）とに基づき算出した撮影可能残枚数を表示させるものとしたが、撮影可能残枚数を、メモリカード４１の空き容量と、その時点での電子ズーム倍率に応じた実質有効画素サイズ（実際の記録画像サイズ）とによって計算し、それを表示させるようにしてもよい。
【００５８】
また、以上の説明においては、本発明を光学ズーム、電子ズームからなるズーム機能を備えた一般的なデジタルカメラに適用する場合について説明したが、本発明は、光学ズームを有することなく電子ズームのみを有するデジタルカメラにも採用することができる。さらに、一般的なデジタルカメラ以外にも、本発明はカメラ付き携帯電話機、ＰＤＡ等のカメラ付き情報処理装置に組み込まれている他の撮像装置にも適用することができる。
【図面の簡単な説明】
【００５９】
【図１】本発明の各実施の形態に共通するデジタルカメラの外観を示す図である。
【図２】同デジタルカメラの電気的構成を示すブロック図である。
【図３】第１の実施の形態における本発明に係る撮影処理を示すフローチャートである。
【図４】第１及び第２の実施の形態に共通する撮影情報処理の内容を示すフローチャートである。
【図５】第１及び第２の実施の形態に共通する、ズーム機能が使用されていない状態における液晶モニタの表示画面例を示す図である。
【図６】第１及び第２の実施の形態に共通する、ズーム機能が使用されている状態における液晶モニタの表示画面例を示す図であって、（ａ）は光学ズームのみが使用されている状態、（ｂ）は光学ズームと電子ズームが使用されている状態を示した図である。
【図７】光学ズームと電子ズームが使用されている状態における、液晶モニタの他の表示画面例を示す図である。
【図８】第２の実施の形態における本発明に係る撮影処理を示すフローチャートである。
【符号の説明】
【００６０】
３    撮影レンズ
７    シャッターキー
１０    ズーム操作キー
１５    液晶モニタ
２５    ＣＣＤ
３３    ＤＲＡＭ
３４    制御部
３８    表示部
３９    キー入力部
４０    ＪＰＥＧ回路
４１    メモリカード
４２    内蔵メモリ
【図１】
2006287276.tif 000003
【図２】
2006287276.tif 000004
【図３】
2006287276.tif 000005
【図４】
2006287276.tif 000006
【図５】
2006287276.tif 000007
【図６】
2006287276.tif 000008
【図７】
2006287276.tif 000009
【図８】
2006287276.tif 000010